(57)【要約】【課題】他のユーザの通信端末から信頼性の高い情報を取得する。【解決手段】本発明に係る情報取得方法は、通信端末１と、通信端末２とを含む通信システムにおける情報取得方法であって、通信端末１が、所定情報の要求を通信端末２に送信するステップと、通信端末２が、要求に対する応答データを通信端末１に送信する応答ステップと、通信端末１が、応答データの信頼性に対するユーザの判定結果に応じて、通信端末２に所定情報に関する認証データを送信する認証データ送信ステップと、通信端末２が認証データを保持している場合、通信端末２が、所定情報の要求に対して、応答データと認証データとを通信端末１に送信するステップと、通信端末１が、通信端末２から受信した認証データを基に、前応答データの信頼性を判定する判定ステップと、を有する。【選択図】図３
2011048652.tif 000002
【特許請求の範囲】
【請求項１】
第１通信端末と、第２通信端末とを含む通信システムにおける情報取得方法であって、
前記第１通信端末が、所定情報の要求を前記第２通信端末に送信するステップと、
前記第２通信端末が、前記要求に対する応答データを前記第１通信端末に送信する応答ステップと、
前記第１通信端末が、前記応答データの信頼性に対するユーザの判定結果に応じて、前記第２通信端末に前記所定情報に関する認証データを送信する認証データ送信ステップと、
前記第２通信端末が前記認証データを保持している場合、前記第２通信端末が、前記所定情報の要求に対して、前記応答データと前記認証データとを前記第１通信端末に送信するステップと、
前記第１通信端末が、前記第２通信端末から受信した前記認証データを基に、前応答データの信頼性を判定する判定ステップと、を有する情報取得方法。
【請求項２】
前記応答ステップにおいて、
前記第２通信端末が、前記応答データに添えて自端末が前記応答データを保持していることを示す証明データを前記第１通信端末に送信し、
前記認証データ送信ステップにおいて、
前記第１通信端末が、前記証明データを自端末の秘密鍵で暗号化したデータを含む前記認証データを前記第２通信端末に送信し、
前記判定ステップにおいて、
前記第１通信端末は、前記第２通信端末から受信した前記認証データを自端末の公開鍵で復号化し、前記認証データを前記公開鍵で復号化できた場合に、前記応答データが信頼できると判定する、
請求項１に記載の情報取得方法。
【請求項３】
前記証明データは、前記応答データの有効期限情報を含む、請求項２記載の情報取得方法。
【請求項４】
第１通信端末と、第２通信端末とを含む通信システムであって、
前記第１通信端末は、
前記第２通信端末と通信する第１通信部と、
前記第２通信端末に所定情報の要求を送信するように前記第１通信部を制御する第１制御部と、を備え、
前記第２通信端末は、
前記第１通信端末と通信する第２通信部と、
前記第１通信端末から前記要求を受信し、前記要求に対する応答データを第１通信端末に送信するように前記第２通信部を制御する第２制御部と、を備え、
前記第１制御部は、前記応答データの信頼性に対するユーザの判定結果に応じて、前記第２通信端末に前記所定情報に関する認証データを送信するように前記第１通信部を制御し、
前記第２制御部は、前記認証データを保持している場合、前記所定情報の要求に対して、前記応答データと前記認証データとを前記第１通信端末に送信するように前記第２通信部を制御し、
前記第１制御部は、前記第２通信端末から受信した前記認証データを基に、前応答データの信頼性を判定する、通信システム。
【請求項５】
前記第２制御部は、前記応答データに添えて前記第２通信端末が前記応答データを保持していることを示す証明データを前記第１通信端末に送信するように前記第２通信部を制御し、
前記第１制御部は、前記証明データを前記第１通信端末の秘密鍵で暗号化したデータを含むように前記認証データを作成し、
前記第１制御部は、前記第２通信端末から受信した前記認証データを前記第１通信端末の公開鍵で復号化し、前記認証データを前記公開鍵で復号化できた場合に、前記応答データが信頼できると判定する、
請求項４に記載の通信システム。
【請求項６】
前記証明データは、前記応答データの有効期限情報を含む、請求項５記載の通信システム。
【請求項７】
他の通信端末と通信する通信部と、
前記他の通信端末に所定情報の要求を送信し、前記他の通信端末から前記要求に対する応答データを受信するように前記通信部を制御する制御部と、を備え、
前記制御部は、前記応答データの信頼性に対するユーザの判定結果に応じて、前記他の通信端末に前記所定情報に関する認証データを送信するように前記通信部を制御し、
前記他の通信端末から前記応答データと共に前記認証データを受信した場合、前記他の通信端末から受信した前記認証データを基に、前応答データの信頼性を判定する、通信端末。
【請求項８】
前記制御部は、前記他の通信端末から前記応答データと共に前記他の通信端末が前記応答データを保持していることを示す証明データを受信した場合、前記証明データを自端末の秘密鍵で暗号化したデータを含むように前記認証データを作成し、
前記他の通信端末から前記応答データと共に前記認証データを受信した場合、前記他の通信端末から受信した前記認証データを自端末の公開鍵で復号化し、前記認証データを前記公開鍵で復号化できた場合に、前記応答データが信頼できると判定する、
請求項７に記載の通信端末。
【請求項９】
前記証明データは、前記応答データの有効期限情報を含む、請求項８記載の通信端末。
【請求項１０】
第１通信端末と、第２通信端末と、前記第１通信端末が信頼する第３通信端末とを含む通信システムにおける情報取得方法であって、
前記第３通信端末が、所定情報の要求を前記第２通信端末に送信するステップと、
前記第２通信端末が、前記要求に対する応答データを前記第３通信端末に送信する応答ステップと、
前記第３通信端末が、前記応答データの信頼性に対するユーザの判定結果に応じて、前記第２通信端末に前記所定情報に関する認証データを送信する認証データ送信ステップと、
前記第１通信端末が、前記所定情報の要求を前記第２通信端末に送信するステップと、
前記第２通信端末が前記認証データを保持している場合、前記第２通信端末が、前記第１通信端末からの前記所定情報の要求に対して、前記応答データと前記認証データとを前記第１通信端末に送信するステップと、
前記第１通信端末が、前記第２通信端末から受信した前記認証データを基に、前応答データの信頼性を判定する判定ステップと、を有する情報取得方法。
【請求項１１】
前記応答ステップにおいて、
前記第２通信端末が、前記応答データに添えて自端末が前記応答データを保持していることを示す証明データを前記第３通信端末に送信し、
前記認証データ送信ステップにおいて、
前記第３通信端末が、前記証明データを自端末の秘密鍵で暗号化したデータを含む前記認証データを前記第２通信端末に送信し、
前記判定ステップにおいて、
前記第１通信端末は、前記第２通信端末から受信した前記認証データを前記第３通信端末の公開鍵で復号化し、前記認証データを前記公開鍵で復号化できた場合に、前記応答データが信頼できると判定する、
請求項１０に記載の情報取得方法。
【請求項１２】
前記証明データは、前記応答データの有効期限情報を含む、請求項１１記載の情報取得方法。
【請求項１３】
第１通信端末と、第２通信端末と、前記第１通信端末が信頼する第３通信端末とを含む通信システムであって、
前記第１通信端末は、
前記第２通信端末と通信する第１通信部と、
前記第２通信端末に所定情報の要求を送信するように前記第１通信部を制御する第１制御部と、を備え、
前記第３通信端末は、
前記第２通信端末と通信する第３通信部と、
前記第２通信端末に前記所定情報の要求を送信するように前記第３通信部を制御する第３制御部と、を備え、
前記第２通信端末は、
前記第１通信端末及び前記第３通信端末と通信する第２通信部と、
前記第３通信端末から前記要求を受信し、前記要求に対する応答データを第３通信端末に送信するように前記第２通信部を制御する第２制御部と、を備え、
前記第３制御部は、前記応答データの信頼性に対するユーザの判定結果に応じて、前記第２通信端末に前記所定情報に関する認証データを送信するように前記第３通信部を制御し、
前記第２制御部は、前記認証データを保持している場合、前記第１通信端末からの前記所定情報の要求に対して、前記応答データと前記認証データとを前記第１通信端末に送信するように前記第２通信部を制御し、
前記第１制御部は、前記第２通信端末から受信した前記認証データを基に、前応答データの信頼性を判定する、通信システム。
【請求項１４】
前記第２制御部は、前記応答データに添えて前記第２通信端末が前記応答データを保持していることを示す証明データを前記第３通信端末に送信するように前記第２通信部を制御し、
前記第３制御部は、前記証明データを前記第３通信端末の秘密鍵で暗号化したデータを含むように前記認証データを作成し、
前記第１制御部は、前記第２通信端末から受信した前記認証データを前記第３通信端末の公開鍵で復号化し、前記認証データを前記公開鍵で復号化できた場合に、前記応答データが信頼できると判定する、
請求項１３に記載の通信システム。
【請求項１５】
前記証明データは、前記応答データの有効期限情報を含む、請求項１４記載の通信システム。
【発明の詳細な説明】
【技術分野】
【０００１】
この発明は、情報取得方法、通信システム及び通信端末に関する。
【背景技術】
【０００２】
近年、携帯電話等といった通信端末のプラットフォームはオープン化が進んでおり、通信端末がインターネットに接続することは一般的になっている。また、例えばブログや電子掲示板などのオンラインサービスのように、個人が持っている情報のインターネットへの流入も進んでいる。そのため、ユーザは、何か知りたい情報がある場合、通信端末を通じてインターネットから様々な情報を取得することができる。
【０００３】
ユーザが情報を知りたい場合、ユーザは通信端末を通じて必要な情報が蓄積されているインターネット上のサーバにアクセスして情報を取得する。しかしながら、インターネット上のサーバには不特定多数のユーザからの情報が蓄積されているため、信頼性のある情報を得るためには、ユーザが情報の取捨選択を行わなくてはならない。
【０００４】
また、通信端末が求める情報のリアルタイム性が高い場合、インターネット上のサーバからではなく、他の通信端末から情報を取得した方が良いユースケースも存在する。例えば、ユーザがこれから訪問しようとする飲食店の評価を調査する場合、インターネットサーバに蓄積された過去の古い情報ではなく、直近にレストランを訪れた通信端末が持っている現在の新しい情報を参照する方が好ましい。しかしながら、他の通信端末から情報を取得する場合でも、情報源である他の通信端末の信頼性が明らかではないため、結局、信頼性のある情報を得るためには、ユーザが情報の取捨選択を行う必要がある。
【０００５】
そのため、上述の問題に対し、ユーザが情報を問い合わせる場合、インターネット上のサーバが信頼性の高い通信端末を抽出し、ユーザに当該信頼性の高い通信端末からの情報取得を可能にする情報交換システムが提案されている（例えば、特許文献１を参照）
【先行技術文献】
【特許文献】
【０００６】
【特許文献１】特開２００４−３２０１４０号公報
【発明の概要】
【発明が解決しようとする課題】
【０００７】
しかしながら、上述する技術では、サーバが管理する通信端末の信頼性が不特定多数のユーザの評価によるものであるため、結局、信頼性のある情報を得るためには、ユーザが情報の取捨選択を行わなくてはならないという問題がある。
【０００８】
したがって、かかる点に鑑みてなされた本発明の目的は、あるユーザの通信端末が他のユーザの通信端末から信頼性の高い情報を取得可能な、情報取得方法、通信システム、及び通信端末を提供することにある。
【課題を解決するための手段】
【０００９】
上述した諸課題を解決すべく、本発明に係る情報取得方法は、
第１通信端末と、第２通信端末とを含む通信システムにおける情報取得方法であって、
前記第１通信端末が、所定情報の要求を前記第２通信端末に送信するステップと、
前記第２通信端末が、前記要求に対する応答データを前記第１通信端末に送信する応答ステップと、
前記第１通信端末が、前記応答データの信頼性に対するユーザの判定結果に応じて、前記第２通信端末に前記所定情報に関する認証データを送信する認証データ送信ステップと、
前記第２通信端末が前記認証データを保持している場合、前記第２通信端末が、前記所定情報の要求に対して、前記応答データと前記認証データとを前記第１通信端末に送信するステップと、
前記第１通信端末が、前記第２通信端末から受信した前記認証データを基に、前応答データの信頼性を判定する判定ステップと、を有する情報取得方法である。
【００１０】
また、前記応答ステップにおいて、
前記第２通信端末が、前記応答データに添えて自端末が前記応答データを保持していることを示す証明データを前記第１通信端末に送信し、
前記認証データ送信ステップにおいて、
前記第１通信端末が、前記証明データを自端末の秘密鍵で暗号化したデータを含む前記認証データを前記第２通信端末に送信し、
前記判定ステップにおいて、
前記第１通信端末は、前記第２通信端末から受信した前記認証データを自端末の公開鍵で復号化し、前記認証データを前記公開鍵で復号化できた場合に、前記応答データが信頼できると判定する、ことが望ましい。
【００１１】
前記証明データは、前記応答データの有効期限情報を含む、ことが望ましい。
【００１２】
また、上述した諸課題を解決すべく、本発明に係る通信システムは、
第１通信端末と、第２通信端末とを含む通信システムであって、
前記第１通信端末は、
前記第２通信端末と通信する第１通信部と、
前記第２通信端末に所定情報の要求を送信するように前記第１通信部を制御する第１制御部と、を備え、
前記第２通信端末は、
前記第１通信端末と通信する第２通信部と、
前記第１通信端末から前記要求を受信し、前記要求に対する応答データを第１通信端末に送信するように前記第２通信部を制御する第２制御部と、を備え、
前記第１制御部は、前記応答データの信頼性に対するユーザの判定結果に応じて、前記第２通信端末に前記所定情報に関する認証データを送信するように前記第１通信部を制御し、
前記第２制御部は、前記認証データを保持している場合、前記所定情報の要求に対して、前記応答データと前記認証データとを前記第１通信端末に送信するように前記第２通信部を制御し、
前記第１制御部は、前記第２通信端末から受信した前記認証データを基に、前応答データの信頼性を判定する、通信システムである。
【００１３】
また、前記第２制御部は、前記応答データに添えて前記第２通信端末が前記応答データを保持していることを示す証明データを前記第１通信端末に送信するように前記第２通信部を制御し、
前記第１制御部は、前記証明データを前記第１通信端末の秘密鍵で暗号化したデータを含むように前記認証データを作成し、
前記第１制御部は、前記第２通信端末から受信した前記認証データを前記第１通信端末の公開鍵で復号化し、前記認証データを前記公開鍵で復号化できた場合に、前記応答データが信頼できると判定する、ことが望ましい。
【００１４】
前記証明データは、前記応答データの有効期限情報を含む、ことが望ましい。
【００１５】
また、上述した諸課題を解決すべく、本発明に係る通信端末は、
他の通信端末と通信する通信部と、
前記他の通信端末に所定情報の要求を送信し、前記他の通信端末から前記要求に対する応答データを受信するように前記通信部を制御する制御部と、を備え、
前記制御部は、前記応答データの信頼性に対するユーザの判定結果に応じて、前記他の通信端末に前記所定情報に関する認証データを送信するように前記通信部を制御し、
前記他の通信端末から前記応答データと共に前記認証データを受信した場合、前記他の通信端末から受信した前記認証データを基に、前応答データの信頼性を判定する、通信端末である。
【００１６】
また、前記制御部は、前記他の通信端末から前記応答データと共に前記他の通信端末が前記応答データを保持していることを示す証明データを受信した場合、前記証明データを自端末の秘密鍵で暗号化したデータを含むように前記認証データを作成し、
前記他の通信端末から前記応答データと共に前記認証データを受信した場合、前記他の通信端末から受信した前記認証データを自端末の公開鍵で復号化し、前記認証データを前記公開鍵で復号化できた場合に、前記応答データが信頼できると判定する、ことが望ましい。
【００１７】
前記証明データは、前記応答データの有効期限情報を含む、ことが望ましい。
【００１８】
また、本発明の他の観点に係る情報取得方法は、
第１通信端末と、第２通信端末と、前記第１通信端末が信頼する第３通信端末とを含む通信システムにおける情報取得方法であって、
前記第３通信端末が、所定情報の要求を前記第２通信端末に送信するステップと、
前記第２通信端末が、前記要求に対する応答データを前記第３通信端末に送信する応答ステップと、
前記第３通信端末が、前記応答データの信頼性に対するユーザの判定結果に応じて、前記第２通信端末に前記所定情報に関する認証データを送信する認証データ送信ステップと、
前記第１通信端末が、前記所定情報の要求を前記第２通信端末に送信するステップと、
前記第２通信端末が前記認証データを保持している場合、前記第２通信端末が、前記第１通信端末からの前記所定情報の要求に対して、前記応答データと前記認証データとを前記第１通信端末に送信するステップと、
前記第１通信端末が、前記第２通信端末から受信した前記認証データを基に、前応答データの信頼性を判定する判定ステップと、を有する情報取得方法である。
【００１９】
また、前記応答ステップにおいて、
前記第２通信端末が、前記応答データに添えて自端末が前記応答データを保持していることを示す証明データを前記第３通信端末に送信し、
前記認証データ送信ステップにおいて、
前記第３通信端末が、前記証明データを自端末の秘密鍵で暗号化したデータを含む前記認証データを前記第２通信端末に送信し、
前記判定ステップにおいて、
前記第１通信端末は、前記第２通信端末から受信した前記認証データを前記第３通信端末の公開鍵で復号化し、前記認証データを前記公開鍵で復号化できた場合に、前記応答データが信頼できると判定する、ことが望ましい。
【００２０】
前記証明データは、前記応答データの有効期限情報を含む、ことが望ましい。
【００２１】
また、本発明の他の観点に係る通信システムは、
第１通信端末と、第２通信端末と、前記第１通信端末が信頼する第３通信端末とを含む通信システムであって、
前記第１通信端末は、
前記第２通信端末と通信する第１通信部と、
前記第２通信端末に所定情報の要求を送信するように前記第１通信部を制御する第１制御部と、を備え、
前記第３通信端末は、
前記第２通信端末と通信する第３通信部と、
前記第２通信端末に前記所定情報の要求を送信するように前記第３通信部を制御する第３制御部と、を備え、
前記第２通信端末は、
前記第１通信端末及び前記第３通信端末と通信する第２通信部と、
前記第３通信端末から前記要求を受信し、前記要求に対する応答データを第３通信端末に送信するように前記第２通信部を制御する第２制御部と、を備え、
前記第３制御部は、前記応答データの信頼性に対するユーザの判定結果に応じて、前記第２通信端末に前記所定情報に関する認証データを送信するように前記第３通信部を制御し、
前記第２制御部は、前記認証データを保持している場合、前記第１通信端末からの前記所定情報の要求に対して、前記応答データと前記認証データとを前記第１通信端末に送信するように前記第２通信部を制御し、
前記第１制御部は、前記第２通信端末から受信した前記認証データを基に、前応答データの信頼性を判定する、通信システムである。
【００２２】
また、前記第２制御部は、前記応答データに添えて前記第２通信端末が前記応答データを保持していることを示す証明データを前記第３通信端末に送信するように前記第２通信部を制御し、
前記第３制御部は、前記証明データを前記第３通信端末の秘密鍵で暗号化したデータを含むように前記認証データを作成し、
前記第１制御部は、前記第２通信端末から受信した前記認証データを前記第３通信端末の公開鍵で復号化し、前記認証データを前記公開鍵で復号化できた場合に、前記応答データが信頼できると判定する、ことが望ましい。
【００２３】
前記証明データは、前記応答データの有効期限情報を含む、ことが望ましい。
【発明の効果】
【００２４】
本発明によれば、あるユーザの通信端末が他のユーザの通信端末から信頼性の高い情報を取得することができる。
【図面の簡単な説明】
【００２５】
【図１】図１は、本発明の想定する通信モデルの概要を示す図である。
【図２】図２は、本発明に係る通信端末が使用する通信システムの概略構成を示す図である。
【図３】図３、本発明の一実施形態に係る通信端末の概略構成を示す機能ブロック図である。
【図４】図４は、図３に示す通信端末の概観を示す図である。
【図５】図５は、本発明の一実施形態に係る通信端末の通信シーケンスを示す図である。
【図６】図６は、本発明の一実施形態に係る通信端末の通信シーケンスを示す図である。
【図７】図７は、本発明の一実施形態に係る通信端末の通信シーケンスを示す図である。
【図８】図８は、本発明の一実施形態に係る通信端末の通信シーケンスを示す図である。
【図９】図９は、本発明の一実施形態に係る通信端末の通信シーケンスを示す図である。
【図１０】図１０は、本発明の一実施形態に係る通信端末の通信シーケンスを示す図である。
【図１１】図１１は、本発明の一実施形態に係る通信端末の通信シーケンスを示す図である。
【図１２】図１２は、本発明の一実施形態に係る通信端末の通信シーケンスを示す図である。
【図１３】図１３は、本発明の一実施形態に係る通信端末の通信シーケンスを示す図である。
【図１４】図１４は、本発明の一実施形態に係る通信端末の通信シーケンスを示す図である。
【図１５】図１５は、情報証明書の一例を示す図である。
【発明を実施するための形態】
【００２６】
以降、諸図面を参照しながら、本発明の実施態様を詳細に説明する。
【００２７】
図１は、本発明の想定する通信モデルの概要を示す図である。本発明は、通信端末がサーバと通信して情報を取得するモデルではなく、通信端末同士が通信し合って情報を取得するモデルを想定している。即ち、ユーザが情報を必要とする場合、ユーザの通信端末はサーバに情報を問い合わせるのではなく、「信頼できる」通信端末に問い合わせを行う。本発明はこのような通信端末及び取得した情報の信頼性に関するものであり、信頼性の定義については後述する。
【００２８】
図２は、本発明に係る通信端末が使用する通信システムの概略構成を示す図である。ここで、通信システムの通信方式には、例えば、ＡＬＬ ＩＰベースである第３．９世代の移動体通信システムを用いることができる。なお、通信システムの通信方式は特定の方式に限定されず、ｃｄｍａ２０００  ＥＶ−ＤＯ、ｉＢｕｒｓｔ（登録商標）、ＷｉＭＡＸ（登録商標、ＩＥＥＥ８０２．１６）、ＰＤＣ（Personal Digital Cellular）、Ｗ−ＣＤＭＡ（Wideband CDMA）、ＬＴＥ（Long Term Evolution）及びＵＭＢ（Ultra Mobile Broadband）など、種々の通信方式に対応可能であることに留意されたい。図２に示すように、通信端末は基地局を介して相互に通信し合い、基地局間の通信制御はコアネットワークによって行われる。なお、コアネットワークはインターネットにも接続されているため、通信端末はインターネットに接続している通信端末（図示せず）から情報を取得することが可能である。なお、インターネットに接続している通信端末（図示せず）については、無線ＬＡＮなど移動体通信方式以外の通信方式を用いることができる。
【００２９】
図３は、本発明の一実施形態に係る通信端末の概略構成を示す機能ブロック図である。この通信端末１は、例えば携帯電話端末等のモバイル端末から構成されるものであり、制御部１１、表示部１２、記憶部１３、操作部１４、通信部１５、及びセンサ１６を有する。制御部１１は、通信端末１全体の機能を制御するものであり、ＣＰＵ（中央処理装置）等の任意の好適なプロセッサ上により構成することができる。表示部１２は、ユーザに情報を表示するものであり、液晶ディスプレイ、タッチパネル等の任意の好適な表示装置により構成することが出来る。記憶部１３は、各種情報を記憶するものであり、例えば、揮発性メモリ（ＳＲＡＭ等）、不揮発性メモリ（ＥＥＰＲＯＭ等）、又は他の好適な記憶媒体により構成することができる。操作部１４は、ユーザからの操作を受け付けるものであり、ボタン、キーボード等の任意の好適な入力デバイスから構成される。通信部１５は、基地局や他の通信端末と通信を行うものであり、例えばｃｄｍａ２０００  ＥＶ−ＤＯ、ｉＢｕｒｓｔ（登録商標）、ＷｉＭＡＸ（登録商標）、ＰＤＣ、Ｗ−ＣＤＭＡ、ＬＴＥ、ＵＭＢ、無線ＬＡＮといった無線通信規格に対応した任意の好適なインターフェース機器から構成される。センサ１６は、自動的又はユーザによる手動操作によって情報を収集するものであり、光センサ、音センサ、温度センサなど、種々の情報取得に対応した任意の好適なセンサ機器から構成される。
【００３０】
制御部１１は、通信端末間の通信を仲介するエージェントプログラムとしての機能を備える。即ち、制御部１１は、他の通信端末と通信を行う場合、自端末のエージェントプログラムと他の通信端末のエージェントプログラムとの間のエージェント間通信を制御する。また、制御部１１は、公開鍵暗号方式に対応した処理を行うものであり、他の通信端末を認証するためのＣＡ（Certificate Authentication Node）機能を具備する。即ち、制御部１１は、自端末の秘密鍵を利用したデータ暗号化（署名）、自端末の公開鍵を利用したデータ復号化、及び各種電子証明書の発行を行う。なお、公開鍵暗号方式の詳細な説明は省略するが、一般に公開鍵暗号方式において秘密鍵と公開鍵とはペアになっており、ある秘密鍵で暗号化したデータは、その秘密鍵とペアになっている公開鍵でのみ復号化することができるものである。
【００３１】
表示部１２は、ユーザが問い合わせた情報の内容を表示すると共に、操作部１４を通じてユーザがその情報の信頼性を認証できるように、所定のキーアイコンなどを表示する。図４は、図３に示す通信端末１の概観を示す図である。例えば、通信端末１にユーザが問い合わせた情報が到着すると、表示部１２はその情報及びＯＫキーを含むポップウィンドウ１２１を表示する。ユーザは、表示された情報の内容を確認すると共に、情報の信頼性が高いと判断した場合、操作部１４を操作してポップアップウィンドウ１２１のＯＫボタンを選択することができる。
【００３２】
記憶部１３は、信頼できる通信端末のリストであるコンタクトリストを記憶する。このコンタクトリストには、信頼できる通信端末に関する種々の情報が含まれ、例えば、信頼できる通信端末のＩＤ（例えば電話番号、ＩＰアドレスなど）、信頼できる通信端末の公開鍵、信頼できる通信端末から受信したデータなどが、データベースのように相互に関連付けられて記憶されている。また、記憶部１３は、操作部１４を通じてユーザから入力された情報や、センサ１６が取得した情報など、種々の情報を記憶する。
【００３３】
以下、図５〜図１４を用いて、本発明の一実施形態に係る通信端末の通信シーケンスを説明する。各図中の通信端末１、２、３、４及び５は、それぞれ、ユーザＡ、Ｂ、Ｃ、Ｄ及びＥが所持する通信端末である。通信端末２〜５は、それぞれ図３に示す通信端末１と同じ構成を備えるものである。説明の便宜上、通信端末２、３、４及び５の制御部、表示部、記憶部、操作部、通信部、並びにセンサを、それぞれ制御部２１、３１、４１及び５１、表示部２２、３２、４２及び５２、記憶部２３、３３、４３及び５３、操作部２４、３４、４４及び５４、通信部２５、３５、４５及び５５、並びにセンサ２６、３６、４６及び５６と異なる符号を用いて参照するが、各通信端末の各構成要素は同じ機能を有するものとする。
【００３４】
（情報問い合わせの前段階：コンタクトリストへの登録）
図５及び図６は、ユーザＡの所持する通信端末１がユーザＢの所持する通信端末２を自端末のコンタクトリストに登録する場合の、通信シーケンスを示す図である。なお、上述の通り、本発明では、ユーザが情報を問い合わせる場合、ユーザの通信端末はサーバに情報を問い合わせるのではなく、「信頼できる」通信端末に問い合わせを行う。このコンタクトリストは信頼できる通信端末のリストであって、本発明に係る通信端末は、コンタクトリストに登録されている通信端末に対して情報の問い合わせを行うものである。コンタクトリストへの登録は、例えば通信端末の所有者同士が友人である場合など、通信端末の所有者同士の信頼性が高い場合に行われるものである。
【００３５】
例えばユーザＡとユーザＢとが友人同士であって、ユーザＡの所持する通信端末１のコンタクトリストにまだユーザＢの所持する通信端末２が登録されていない場合、ユーザＡは通信端末１の操作部１４を操作してユーザＢの所持する通信端末２をコンタクトリストに登録する処理を開始する（図５）。ユーザＡの通信端末１では、操作部１４がユーザＡからの操作を受けると、制御部１１は、通信部１５を通じて自端末の電子証明書をユーザＢの通信端末２に送信する。なお、ここでいう電子証明書とは、広い意味の電子的な証明データ全般を意味するものであって、例えば通信端末１のＩＤ（例えば電話番号、ＩＰアドレスなど）などを含む電子データであれば、特定の形式に限定されるものではない。
【００３６】
ユーザＢの通信端末２では、通信部２５がユーザＡの通信端末１から電子証明書を受信すると、制御部２１は、受信した電子証明書から送信元がユーザＡの通信端末１であることを確認する。次いで、制御部２１は、ユーザＡ（通信端末１）がユーザＢ（通信端末２）をコンタクトリストに登録しようとしている旨を表示部２２に表示させる。ユーザＢが、操作部２４により通信端末１のコンタクトリストに自分の通信端末２を登録することを認める旨の操作をすると、制御部２１は、ＣＡ機能を利用して、自端末の秘密鍵によりユーザＡの電子証明書に署名（暗号化）を行い、通信部２５を通じて当該署名済み電子証明書及び自端末の公開鍵をユーザＡの通信端末１に送信する（図６）。
【００３７】
ユーザＡの通信端末１では、通信部１５がユーザＢの通信端末２から署名済み電子証明書及びユーザＢの公開鍵を受信すると、制御部１１は、記憶部１５のコンタクトリストにユーザＢの通信端末２を登録すると共に、受信した署名済み電子証明書及びユーザＢの公開鍵も通信端末２と関連付けて記憶する。なおこの場合、制御部１１は、ユーザＢの通信端末２から返信があった旨をユーザＡに知らせるため、表示部１４に所定の表示を行わせることもできる。
【００３８】
（初回の情報問い合わせ）
図７〜図９は、ユーザＡの所持する通信端末１がある所定情報を最初に問い合わせる場合の通信シーケンスを示す図である。本実施形態では、ユーザＡは「ＸＸＸ」というキーワードに関する情報の問い合わせを行う。本発明の対象となるキーワードは特定の内容に限定されることはなく、ユーザＡは、例えば飲食店や観光地の名称など、知りたいと思うあらゆるキーワードを用いて情報の問い合わせを行うことができる。ユーザＡの通信端末１は、記憶部１３のコンタクトリストに登録されている通信端末２〜４に対して問い合わせを行うが、そのうち通信端末２のみが「ＸＸＸ」というキーワードに関する情報を保持しているものとする。
【００３９】
ユーザＡの通信端末１では、ユーザＡが、操作部１４により「ＸＸＸ」というキーワードに関する情報を問い合わせる旨の操作を行うと、制御部１１は、記憶部１３のコンタクトリストを参照する。制御部１１は、コンタクトリストに登録されている通信端末２〜４に対し、通信部１５を通じて「ＸＸＸ」というキーワードに関する情報の問い合わせ（以下、適宜「情報要求」と称する。）を送信する。このとき、制御部１１は、送信先の通信端末の秘密鍵によって署名された署名済み電子証明書を添えて情報要求を送信する。即ち、制御部１１は、通信端末２、３及び４に対して、それぞれ、通信端末２、３及び４の秘密鍵よって署名された署名済み電子証明書を添えた情報要求を送信する（図７）。
【００４０】
ユーザＢ、Ｃ及びＤの通信端末２、３及び４では、通信部２５、３５及び４５がユーザＡの通信端末１から情報要求及び署名済み電子証明書を受信すると、制御部２１、３１及び４１は、受信した署名済み電子証明書を自端末の公開鍵で復号化する。制御部２１、３１及び４１は、受信した署名済み電子証明書が自端末の公開鍵で復号化できる場合、通信要求の送信元である通信端末１は以前自端末がコンタクトリストへの登録を認めた通信端末であると判断することができる。これは、受信した署名済み電子証明書が自端末の秘密鍵で署名（暗号化）されたものでない限り、自端末の公開鍵で復号化することは不可能であり、また、送信元の通信端末１が自端末の秘密鍵による署名済み電子証明書を保持していることは、自端末が通信端末１にコンタクトリストへの登録を認めていることを意味するからである。
【００４１】
ユーザＢ、Ｃ及びＤの通信端末２、３及び４では、制御部２１、３１及び４１が通信端末１は以前自端末がコンタクトリストへの登録を認めた通信端末であると判断すると、制御部２１、３１及び４１は、記憶部２３、３３及び４３を参照し、自端末が「ＸＸＸ」というキーワードに関する情報を保持しているかどうかを確認する。本実施形態においては、通信端末２のみが「ＸＸＸ」というキーワードに関する情報を保持しており、通信端末３及び４は「ＸＸＸ」というキーワードに関する情報を保持していない。そのため、通信端末３及び４では、通信端末１への返信処理は行われない。
【００４２】
通信端末２は「ＸＸＸ」というキーワードに関する情報を保持しているため、制御部２１は、通信部２５を通じて「ＸＸＸ」というキーワードに関する情報（以下、適宜「応答データ」と称する。）を通信端末１に送信する。このとき、制御部２１は、応答データに加え、通信端末２が「ＸＸＸ」というキーワードに関する応答データを保持している旨を示す電子証明書である「情報証明書」（請求項に記載の「証明データ」）を添えて通信端末１に送信する（図８）。なお、制御部２１は、情報証明書に情報の鮮度を示す有効期限情報を含めることができる。図１５は、有効期限情報を含む情報証明書（証明データ）の一例を示す図である。図１５に示す情報証明書には、一例として、証明書ＩＤ、問い合わせのキーワード、情報提供者（通信端末２）の公開鍵、情報の有効期限が含まれている。
【００４３】
ユーザＡの通信端末１では、通信部１５が通信端末２から応答データ及び情報証明書を受信すると、制御部１１は、受信した「ＸＸＸ」というキーワードに関する情報を表示部１２に表示させる。これにより、ユーザＡは、「ＸＸＸ」というキーワードに関する情報を知ることができる。しかし、初回の情報問い合わせでは、「ＸＸＸ」というキーワードに関する情報（応答データ）について、通信端末２を信頼性して良いかどうかが定かではない。そのため、制御部１１は、「ＸＸＸ」というキーワードに関する情報を表示する際、同時に、情報の信頼性を確認するためのダイアログを表示部１２に表示させる。このダイアログには、例えば、「この情報を信頼できるものと認めますか？」等の文字と、ユーザによる承認を促すＯＫボタン等が含まれる。
【００４４】
ユーザＡが、操作部１４によりＯＫボタンを選択するなど、応答データの信頼性を認める旨の操作をすると、制御部１１は、記憶部１３に、「ＸＸＸ」というキーワードに関する情報は、ユーザＢの通信端末２が信頼できるという旨を記憶する。通信端末２から受信した情報証明書に有効期限情報が含まれている場合には、制御部１１は、当該有効期限情報も記憶部１３に記憶する。制御部１１は、応答データの信頼性に対するユーザの判定結果を受け、ＣＡ機能を利用して、自端末の秘密鍵によりユーザＢから受信した情報証明書に署名（暗号化）を行い、通信部１５を通じて応答データに関する署名済み情報証明書（請求項に記載の「認証データ」）を通信端末２に送信する（図９）。
【００４５】
ユーザＢの通信端末２では、通信部２５が通信端末１から署名済み情報証明書を受信すると、制御部２１は、記憶部２５に受信した署名済み電子証明書（認証データ）を登録する。
【００４６】
このように、本実施形態によれば、通信端末１は、コンタクトリストに記憶された信頼できる通信端末に対して情報の問い合わせを行うため、初回の問い合わせ時であっても、他のユーザの通信端末から信頼性の高い情報を取得することができる。
【００４７】
（２回目以降の情報問い合わせ）
図１０は、ユーザＡの所持する通信端末１が、ある情報を２回目以降に問い合わせる場合の通信シーケンスを示す図である。本実施形態も、ユーザＡが「ＸＸＸ」というキーワードに関する情報の問い合わせを行うものであるが、ユーザＡの通信端末１（第１通信端末）には、「ＸＸＸ」というキーワードに関する情報は、ユーザＢの通信端末２（第２通信端末）が信頼できるという旨が登録されている。また、ユーザＢの通信端末２は、「ＸＸＸ」というキーワードに関する情報についての署名済み情報証明書（認証データ）を保持している。
【００４８】
ユーザＡの通信端末１では、ユーザＡが、操作部１４により「ＸＸＸ」というキーワードに関する情報を問い合わせる旨の操作を行うと、制御部１１は、記憶部１３のコンタクトリストを参照する。本実施形態では、記憶部１３には、「ＸＸＸ」というキーワードに関する情報は、ユーザＢの通信端末２が信頼できるという旨が登録されているため、制御部１１は、通信端末２に対し、通信部１５を通じて「ＸＸＸ」というキーワードに関する情報の問い合わせ（情報要求）を送信する。このとき、制御部１１は、通信端末２の秘密鍵によって署名された署名済み電子証明書を添えて情報要求を送信する。なお、記憶部１３が情報証明書の有効期限情報を記録している場合には、制御部１１は、当該有効期限が満了している場合に、前述した「初回の情報問い合わせ」の処理を再度行うことができる。
【００４９】
ユーザＢの通信端末２では、通信部２５がユーザＡの通信端末１からの情報要求及び署名済み電子証明書を受信すると、制御部２１は、受信した署名済み電子証明書を自端末の公開鍵で復号化する。制御部２１は、受信した署名済み電子証明書が自端末の公開鍵で復号化できる場合、通信要求の送信元である通信端末１は以前自端末がコンタクトリストへの登録を認めた通信端末であると判断することができる。制御部２１が通信端末１は以前自端末がコンタクトリストへの登録を認めた通信端末であると判断すると、制御部２１は、記憶部２３を参照し、自端末が「ＸＸＸ」というキーワードに関する情報を保持しているかどうかを確認する。
【００５０】
本実施形態においては、通信端末２は「ＸＸＸ」というキーワードに関する情報を保持しているため、制御部２１は、通信部２５を通じて「ＸＸＸ」というキーワードに関する情報（応答データ）を通信端末１に送信する。このとき、制御部２１は、応答データに加え、通信端末１の秘密鍵によって署名された署名済み情報証明書（認証データ）を添えて通信端末１に送信する。
【００５１】
ユーザＡの通信端末１では、通信部１５が通信端末２から応答データ及び署名済み情報証明書を受信すると、制御部１１は、受信した署名済み情報証明書を自端末の公開鍵で復号化する。制御部１１は、受信した署名済み情報証明書が自端末の公開鍵で復号化できる場合、通信要求の送信元である通信端末２からの「ＸＸＸ」というキーワードに関する情報は信頼できると判断することができる。これは、受信した署名済み電子証明書が自端末の秘密鍵で署名（暗号化）されたものでない限り、自端末の公開鍵で復号化することは不可能であり、また、送信元の通信端末２が自端末の秘密鍵による署名済み情報証明書を保持していることは、自端末が通信端末２からの「ＸＸＸ」というキーワードに関する情報は信頼できると認めていることを意味するからである。
【００５２】
制御部１１が通信端末２からの「ＸＸＸ」というキーワードに関する情報は信頼できると判断すると、制御部１１は、受信した「ＸＸＸ」というキーワードに関する情報を表示部１２に表示させる。これにより、ユーザＡは、「ＸＸＸ」というキーワードに関する情報を知ることができる。なお、２回目以降の情報問い合わせでは、制御部１１は、認証データ（受信した署名済み情報証明書）によって応答データの信頼性を判定できるため、確認ダイアログを表示部に表示させることなく、ユーザに対して応答データを表示することができる。
【００５３】
このように、本実施形態によれば、通信端末１は、応答データの信頼性に対するユーザＡの判定結果に応じて、通信端末２に所定情報に関する認証データを送信し、通信端末２は、認証データを保持している場合、所定情報の要求に対して、応答データと認証データとを通信端末１に送信し、通信端末１は、通信端末２から受信した認証データを基に、答データの信頼性を判定する。これにより、通信端末１は、ユーザＡの判定結果に基づく応答データの信頼性を利用して、その後に取得した応答データの信頼性を判定することができるので、他のユーザの通信端末からより信頼性の高い（ユーザＡの判定基準に合致した）情報を取得することができる。
【００５４】
また、より具体的には、通信端末２は、応答データに添えて自端末が応答データを保持していることを示す証明データを通信端末１に送信し、通信端末１は、証明データを自端末の秘密鍵で暗号化したデータを含む認証データを通信端末２に送信し、通信端末１は、通信端末２から受信した認証データを自端末の公開鍵で復号化し、認証データを公開鍵で復号化できた場合に、応答データが信頼できると判定する。これにより、通信端末１は、確実に応答データの信頼性を判定することができるので、他のユーザの通信端末からより信頼性の高い情報を取得することができる。
【００５５】
また、証明データは有効期限情報を含むため、通信端末１は、当該有効期限が満了している場合に、信頼性の低い情報問い合わせを防止することができる。即ち、通信端末１は、信頼性の低い情報問い合わせを防止し、例えば代わりに初回問い合わせを再度行うことによって、結果的に他のユーザの通信端末からより信頼性の高い情報を取得することができる。
【００５６】
（第３者からの情報問い合わせ）
図１１〜図１４は、ユーザＣの所持する通信端末３がユーザＡの所持する通信端末１を介してある情報を問い合わせる場合の通信シーケンスを示す図である。本実施形態では、通信端末３は通信端末１を信頼しており、通信端末３は、通信端末１が信頼する通信端末２も信頼して情報を取得することになる。即ち、本実施形態は、信頼できる友人が信頼する友人からの情報取得に相当するものである。本実施形態では、ユーザＣは「ＸＸＸ」というキーワードに関する情報の問い合わせを行う。ユーザＣの通信端末３（第１通信端末）はコンタクトリストに登録されているユーザＡの通信端末１（第３通信端末）に対して問い合わせを行うが、通信端末１は「ＸＸＸ」というキーワードに関する情報を保持していない。しかし、通信端末１には、「ＸＸＸ」というキーワードに関する情報は、ユーザＢの通信端末２（第２通信端末）が信頼できるという旨を記憶している。なお、通信端末１及び通信端末２は、それぞれお互いの情報をコンタクトリストに登録している。また、ユーザＢの通信端末２は、「ＸＸＸ」というキーワードに関する情報についての、ユーザＡの通信端末１によって署名された署名済み情報証明書（認証データ）を保持している。
【００５７】
ユーザＣの通信端末３では、ユーザＣが、操作部３４により「ＸＸＸ」というキーワードに関する情報を問い合わせる旨の操作を行うと、制御部３１は、記憶部３３のコンタクトリストを参照する。制御部３１は、コンタクトリストに登録されている通信端末１に対し、通信部３５を通じて「ＸＸＸ」というキーワードに関する情報の問い合わせ（情報要求）を送信する。このとき、制御部３１は、通信端末１の秘密鍵によって署名された署名済み電子証明書を添えて情報要求を送信する（図１１）。
【００５８】
ユーザＡの通信端末１では、通信部１５がユーザＣの通信端末３からの情報要求及び署名済み電子証明書を受信すると、制御部１１は、受信した署名済み電子証明書を自端末の公開鍵で復号化する。制御部１１は、受信した署名済み電子証明書が自端末の公開鍵で復号化できる場合、通信要求の送信元である通信端末３は以前自端末がコンタクトリストへの登録を認めた通信端末であると判断することができる。制御部１１が通信端末３は以前自端末がコンタクトリストへの登録を認めた通信端末であると判断すると、制御部１１は、記憶部１３を参照し、自端末が「ＸＸＸ」というキーワードに関する情報を保持しているかどうかを確認する。本実施形態においては、通信端末１は「ＸＸＸ」というキーワードに関する情報を保持していないが、「ＸＸＸ」というキーワードに関する情報は、ユーザＢの通信端末２が信頼できるという旨を記憶している。
【００５９】
通信端末１は「ＸＸＸ」というキーワードに関する情報は、ユーザＢの通信端末２が信頼できるという情報を保持しているため、制御部１１は、通信部１５を通じて「ＸＸＸ」というキーワードに関する情報の問い合わせ先として通信端末２を通信端末３に通知する。なお、記憶部１３が、通信端末２が保持する情報の有効期限情報を記録している場合には、制御部１１は、当該有効期限が満了している場合に、通信端末２に通信端末３を通知しなくても良い。なお、上述の通り、通信端末２が保持する情報の有効期限情報は、通信端末２から通信端末１に送信された証明データに含まれるものである。
【００６０】
ユーザＣの通信端末３では、制御部３１は、通信端末２に、通信部３５を通じて「ＸＸＸ」というキーワードに関する情報の問い合わせ（情報要求）を送信する。このとき、制御部３１は、通信端末１の秘密鍵によって署名された署名済み電子証明書を添えて情報要求を送信する（図１２）。
【００６１】
ユーザＢの通信端末２では、記憶部２３は、ユーザＡの公開鍵を保持している。なぜなら、通信端末２のコンタクトリストには通信端末１が登録されており、コンタクトリスト登録の際には通信端末１の公開鍵の登録も合わせて行われているはずだからである。通信部２５がユーザＣの通信端末３からの情報要求及び署名済み電子証明書を受信すると、制御部２１は、受信した署名済み電子証明書を通信端末１の公開鍵で復号化する。制御部１１は、受信した署名済み電子証明書が通信端末１の公開鍵で復号化できる場合、通信要求の送信元である通信端末３は以前通信端末１がコンタクトリストへの登録を認めた通信端末であると判断することができる（図１３）。
【００６２】
制御部２１が通信端末３は以前通信端末１がコンタクトリストへの登録を認めた通信端末であると判断すると、制御部２１は、通信端末３に情報を送信しても良いと判断し、記憶部２３を参照して自端末が「ＸＸＸ」というキーワードに関する情報を保持しているかどうかを確認する。
【００６３】
本実施形態においては、通信端末２は「ＸＸＸ」というキーワードに関する情報を保持しているため、制御部２１は、通信部２５を通じて「ＸＸＸ」というキーワードに関する情報（応答データ）を通信端末３に送信する。このとき、制御部２１は、応答データに加え、通信端末１の秘密鍵によって署名された署名済み情報証明書（認証データ）を添えて通信端末３に送信する。
【００６４】
ユーザＣの通信端末３では、通信部１５が通信端末２から応答データ及び署名済み情報証明書を受信すると、制御部３１は、受信した署名済み情報証明書を通信端末１の公開鍵で復号化する。制御部３１は、受信した署名済み情報証明書が通信端末１の公開鍵で復号化できる場合、通信要求の送信元である通信端末２からの「ＸＸＸ」というキーワードに関する情報は信頼できると判断することができる（図１４）。
【００６５】
制御部３１が通信端末２からの「ＸＸＸ」というキーワードに関する情報は信頼できると判断すると、制御部３１は、受信した「ＸＸＸ」というキーワードに関する情報を表示部３２に表示させる。これにより、ユーザＣは、「ＸＸＸ」というキーワードに関する情報を知ることができる。なお、上述の通り、本実施形態では通信端末３は通信端末１を信頼しており、制御部３１は、認証データ（受信した署名済み情報証明書）によって応答データの通信端末１から見た信頼性を判定できる。そのため、制御部３１は、通信端末１が信頼している応答データについては、ユーザＡのお墨付きがあるものと判断し、確認ダイアログを表示部に表示させることなく、ユーザに対して応答データを表示することができる。
【００６６】
このように、本実施形態によれば、通信端末１は、応答データの信頼性に対するユーザＡの判定結果に応じて、通信端末２に所定情報に関する認証データを送信し、通信端末２は、認証データを保持している場合、通信端末３からの所定情報の要求に対して、応答データと認証データとを通信端末３に送信し、通信端末３は、通信端末２から受信した認証データを基に、答データの信頼性を判定する。これにより、通信端末３は、信頼できる通信端末１から通信端末２を通知された場合に、通信端末１（ユーザＡ）が判断した応答データの信頼性を利用して、取得した応答データの信頼性を判定することができるので、より多くのユーザの通信端末からより信頼性の高い情報を取得することができる。
【００６７】
また、より具体的には、通信端末２は、応答データに添えて自端末が応答データを保持していることを示す証明データを通信端末１に送信し、通信端末１は、証明データを自端末の秘密鍵で暗号化したデータを含む認証データを通信端末２に送信し、通信端末３は、通信端末２から受信した認証データを通信端末１の公開鍵で復号化し、認証データを公開鍵で復号化できた場合に、応答データが信頼できると判定する。これにより、通信端末３は、信頼できる通信端末１の判定結果を利用して確実に応答データの信頼性を判定することができるので、より多くのユーザの通信端末からより信頼性の高い情報を取得することができる。
【００６８】
また、通信端末２が保持する情報の有効期限情報は証明データに含まれて通信端末１に記憶されている。即ち、証明データが有効期限情報を含むことにより、通信端末１は、当該有効期限が満了している場合に、通信端末３に通信端末２を通知せず、信頼性の低い情報問い合わせを防止することができる。
【００６９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の手段やステップなどを１つに組み合わせたり、或いは分割したりすることが可能である。
【符号の説明】
【００７０】
１、２、３、４、５  通信端末
１１、２１、３１、４１、５１  制御部
１２、２２、３２、４２、５２  表示部
１３、２３、３３、４３、５３  記憶部
１４、２４、３４、４４、５４  操作部
１５、２５、３５、４５、５５  通信部
１６、２６、３６、４６、５６  センサ
【図１】
2011048652.tif 000003
【図２】
2011048652.tif 000004
【図３】
2011048652.tif 000005
【図４】
2011048652.tif 000006
【図５】
2011048652.tif 000007
【図６】
2011048652.tif 000008
【図７】
2011048652.tif 000009
【図８】
2011048652.tif 000010
【図９】
2011048652.tif 000011
【図１０】
2011048652.tif 000012
【図１１】
2011048652.tif 000013
【図１２】
2011048652.tif 000014
【図１３】
2011048652.tif 000015
【図１４】
2011048652.tif 000016
【図１５】
2011048652.tif 000017